(57)【要約】【課題】高い施工精度を必要としないで、出隅を曲面状に覆う出隅部材とともに用いられる場合にはデザイン性に統一感があって美観を損ねない出隅用見切り縁を提供する。【解決手段】出隅用見切り縁の一例である出隅用Ｒ型見切り縁１００は、建築物の出隅に設けられ、基台部３００と立ち下がり面２００とを含む。この出隅用Ｒ型見切り縁１００は、平面状の金属鋼板を所定の形状に切り出して、折り曲げて、立体形状に形成されている。基台部３００は、出隅を曲面状に覆う帯状の曲面部４８０を含む。左基台平面３１０と右基台平面３５０との境界線（境界第一接合線３２４および境界第二接合線３５４）と、左側面２１０の上端と右側面２５０の上端との交差点Ｘから曲面部４８０の最遠位置Ｙまで引いた中心線Ｌとが一致しない。【選択図】図１
2020111881.tif 000002
【特許請求の範囲】
【請求項１】
建築物の出隅に設けられ、基台部と立ち下がり面とを含む出隅用見切り縁であって、
前記出隅用見切り縁は、平面状の金属板を所定の形状に切り出して折り曲げて立体形状に形成され、
前記基台部は、前記出隅を曲面状に覆う曲面部を含むことを特徴とする、出隅用見切り縁。
【請求項２】
前記曲面部は帯状に形成されていることを特徴とする、請求項１に記載の出隅用見切り縁。
【請求項３】
前記立ち下がり面は、左側面と前記左側面から略直角に位置する右側面とを含み、
前記基台部は、前記左側面または前記右側面から略直角に曲げられて連続する基台平面と、前記左側面または前記右側面に略平行であって前記基台平面から略直角に曲げられて連続する基台側面とを含み、
前記基台平面は、
前記左側面から略直角に曲げられて連続する左基台平面と、
前記右側面から略直角に曲げられて連続する右基台平面とを含み、
前記基台側面は、
前記左側面に略平行であって前記左基台平面から略直角に曲げられて連続する左基台側面と、
前記右側面に略平行であって前記右基台平面から略直角に曲げられて連続する右基台側面と、
前記曲面部とを含み、
前記基台側面が前記左基台側面から前記曲面部を経て前記右基台側面へ連続して形成されていることを特徴とする、請求項１または請求項２に記載の出隅用見切り縁。
【請求項４】
前記基台平面上において、前記左基台平面と右基台平面との境界線と、前記左側面と前記右側面との交差点から平面視における左基台側面の仮想延長線と右基台側面の仮想延長線との交点まで引いた中心線とが一致しないことを特徴とする、請求項３に記載の出隅用見切り縁。
【請求項５】
前記左側面と前記右側面とは、前記出隅用見切り縁の内側で互いに係合する立ち下がり重ねしろ部を備え、
前記左基台平面と前記右基台平面とは、前記出隅用見切り縁の内側で互いに係合する平面重ねしろ部を備えることを特徴とする、請求項３に記載の出隅用見切り縁。
【請求項６】
前記左基台側面の下端および前記右基台側面の下端は、前記立ち下がり面側へ折り返された折り返し部をそれぞれ含むことを特徴とする、請求項３に記載の出隅用見切り縁。
【請求項７】
前記折り返し部は、その一部が切り欠かれて前記基台の端部から前記曲面部へ向かう方向に不連続であることを特徴とする、請求項６に記載の出隅用見切り縁。
【発明の詳細な説明】
【技術分野】
【０００１】
本発明は、建築物（構築物を含む）に用いる見切り縁に関し、特に、高い施工精度を必要としないで、また、出隅を曲面状に覆う出隅部材とともに用いられる場合にはデザイン性に統一感があって美観を損ねない出隅用見切り縁に関する。
【背景技術】
【０００２】
建造物のコーナー部分である出隅部には、出隅カバーに加えて、下方に土台水切、上方に見切り縁が設けられる。従来の土台水切および見切り縁は同じような問題点を有する。以下において、土台水切を例にしてその問題点を説明する。
従来の出隅用土台水切は、建造物のコーナー部分に設置するために直角に形成されて角部分は面取りがなされていない場合には設置した建造物の土台水切の角部分を面取りする技術が提案されている。特許第５１２１３５６号公報（特許文献１）は、建造物のコーナーの土台水切であって、角部分が面取り形状となるとともに、リベットなど別途固定部材が必要でないので施工が簡便であり、しかも、角部分の上面が相当の強度を有する出隅用土台水切を開示する。
【０００３】
この特許文献１に開示された出隅用土台水切は、建造物のコーナー部分に設置され、基台部と立ち上がり面からなる出隅用土台水切であって、基台部は上面、側面、底面からなる断面コの字状であり、基台上面において中央重ねしろを残してその両側を各々切除し、切除部分から両側の基台を折曲したとき、中央重ねしろとその両側の基台上面とが少なくとも一部で重なり合うように組み合わせることができ、立ち上がり面は各々の基台上面から連続して上方へ立ち上がっており、一方の立ち上がり面と他方の立ち上がり面とを係合する係合部を設け、係合部は、組み合わせ時に上側に重ねられた基台上面から連続する立ち上がり面の中央側側面に配置される係合重ねしろと、下方に重ねられた基台上面から連続する立ち上がり面の中央側側面に配置される係止片とからなり、係止片は重ねしろより上方に配置し、止め片の下端と係合重ねしろの上端とを係合することを特徴とする。
【０００４】
この特許文献１に開示された出隅用土台水切によると、建造物のコーナーに設置する出隅用土台水切の角部分が面取り形成される。そして、この出隅用土台水切によると、基台部の面取り形成された角部分は３枚重ねとなっているので、他の固定具を使用することなく、コーナーの角部分を設置することができる。しかも、コーナーの角部分を基台上面、中央重ねしろ、基台上面と３枚重ねの上面としているので、コーナーの角部分の上面の高い強度を担保することが可能になる。また、この出隅用土台水切によると、コーナーの角部分を３枚重ねの上面を形成するので、最も上側に位置する基台から連続する立ち上がり面は上方向へ押し上げられる力が作用するところ、立ち上がり面の係合部として上に押し上げられる立ち上がり面の係合重ねしろ上端と他方の立ち上がり面からの係止片の下端とを係合させることで、係止片が押し上げられる立ち上がり面を押さえ込み、面の上昇を抑えることができる。
【先行技術文献】
【特許文献】
【０００５】
【特許文献１】特許第５１２１３５６号公報
【発明の概要】
【発明が解決しようとする課題】
【０００６】
しかしながら、上述した特許文献１に開示された出隅用土台水切には、以下に示す問題点がある。
特許文献１に開示された面取り型の土台水切では、面取り部の左右両辺が明確にその直線形状として外観上現れるために、このような面取り型の土台水切が出隅部（コーナー部）に精度高く施工されている場合には左右両辺の中間の位置と出隅角部の位置とが一致して見栄えが良いのであるが、面取り型の土台水切が精度高く施工されていない場合（位置がずれている場合）、左右両辺の中間の位置と出隅角部の位置とが一致しないので見栄えが好ましくない。その結果、このような好ましくない見映えを発現させないためには、精
度高い施工が必要になるという、主たる問題点がある。
【０００７】
また、副次的な問題点として、以下に示す問題点がある。このような出隅用土台水切は建築物の出隅に設けられた敷目板に係合される出隅部材の下方へ（その土台として）設けられる場合があり、出隅部材として、出隅を曲面状に覆う化粧面部を備える部材が採用される場合がある。
このように出隅を曲面状に覆う出隅部材を採用して美しい曲面状に出隅を覆っても、その下方に特許文献１に開示された面取り型の土台水切を採用すると、土台水切よりも上方の出隅が美しく曲面状に覆われているのに対して、下方の土台水切の部分は（面取りされているとはいえ）曲面状ではなくデザイン性に統一感がなく美観を損ねる可能性が高い。
【０００８】
土台水切だけではなく見切り縁でも、これらの主たる問題点および副次的な問題点がある。
本発明は、従来技術の上述の問題点に鑑みて開発されたものであり、その目的とするところは、建築物（構築物を含む）のコーナー部（出隅部）に使用され、高い施工精度を求められることのない出隅用見切り縁を提供することであって、また、出隅を曲面状に覆う出隅部材とともに用いられる場合にはデザイン性に統一感があって美観を損ねない、出隅用見切り縁を提供することである。
【課題を解決するための手段】
【０００９】
上記目的を達成するため、本発明に係る出隅用見切り縁は以下の技術的手段を講じている。
すなわち、本発明に係る出隅用見切り縁は、建築物の出隅に設けられ、基台部と立ち下がり面とを含む出隅用見切り縁であって、前記出隅用見切り縁は、平面状の金属板を所定の形状に切り出して折り曲げて立体形状に形成され、前記基台部は、前記出隅を曲面状に覆う曲面部を含むことを特徴とする。
【００１０】
好ましくは、前記曲面部は帯状に形成されているように構成することができる。
さらに好ましくは、前記立ち下がり面は、左側面と前記左側面から略直角に位置する右側面とを含み、前記基台部は、前記左側面または前記右側面から略直角に曲げられて連続する基台平面と、前記左側面または前記右側面に略平行であって前記基台平面から略直角に曲げられて連続する基台側面とを含み、前記基台平面は、前記左側面から略直角に曲げられて連続する左基台平面と、前記右側面から略直角に曲げられて連続する右基台平面とを含み、前記基台側面は、前記左側面に略平行であって前記左基台平面から略直角に曲げられて連続する左基台側面と、前記右側面に略平行であって前記右基台平面から略直角に曲げられて連続する右基台側面と、前記曲面部とを含み、前記基台側面が前記左基台側面から前記曲面部を経て前記右基台側面へ連続して形成されているように構成することができる。
【００１１】
さらに好ましくは、前記基台平面上において、前記左基台平面と右基台平面との境界線と、前記左側面と前記右側面との交差点から平面視における左基台側面の仮想延長線と右基台側面の仮想延長線との交点まで引いた中心線とが一致しないように構成することができる。
さらに好ましくは、前記左側面と前記右側面とは、前記出隅用見切り縁の内側で互いに係合する立ち下がり重ねしろ部を備え、前記左基台平面と前記右基台平面とは、前記出隅用見切り縁の内側で互いに係合する平面重ねしろ部を備えるように構成することができる。
【００１２】
さらに好ましくは、前記左基台側面の下端および前記右基台側面の下端は、前記立ち下がり面側へ折り返された折り返し部をそれぞれ含むように構成することができる。
さらに好ましくは、前記折り返し部は、その一部が切り欠かれて前記基台の端部から前記曲面部へ向かう方向に不連続であるように構成することができる。
【発明の効果】
【００１３】
本発明によると、建築物（構築物を含む）のコーナー部（出隅部）に使用され、高い施工精度を求められることのない出隅用見切り縁を提供することができ、また、出隅を曲面状に覆う出隅部材とともに用いられる場合にはデザイン性に統一感があって美観を損ねな
い、出隅用見切り縁を提供することができる。
【図面の簡単な説明】
【００１４】
【図１】本発明に係る出隅用見切り縁の一例である出隅用見切り縁１００の納まり状態を示す斜視図である。
【図２】図１の出隅用見切り縁１００の納まり状態を示す断面図である。
【図３】図１の出隅用見切り縁１００の外側（表面側）の三面図である。
【図４】図１の出隅用見切り縁１００の内側（裏面側）の三面図である。
【図５】図１の出隅用見切り縁１００の展開図である。
【発明を実施するための形態】
【００１５】
以下、本発明に係る出隅用見切り縁の一例である出隅用見切り縁１００（以下において出隅用Ｒ型見切り縁１００と記載する場合がある）を本発明の実施の形態として、図面に基づき詳しく説明する。この出隅用Ｒ型見切り縁１００は、建築物（構築物を含む）に用いる外装材１３００の端部を突き合わせて形成されるコーナー部（出隅部）を曲面状に覆う出隅部材（出隅を曲面状に覆う曲面状の化粧面部１１１０を備えたＲ型出隅カバー１１００）とデザイン性に統一感（曲面形状をともに備えるという統一感）があって美観を損ねず、高い施工精度を要求されることなく、容易に解体されることのない出隅用見切り縁の一例である。なお、本発明に係る出隅用見切り縁は、外装材が突き合わせられたコーナー部に用いられるものに限定されず、（外装材を突き合わせるのではなく）断面Ｌ字形状の出隅部材を用いてコーナー部を形成してこの出隅部材とともに用いられても構わないし、後述するように出隅を曲面状に覆う出隅部材と組み合わせて用いられるものに限定されず、出隅を曲面以外の形状（たとえば断面Ｌ字形状）に覆う出隅部材とともに用いられても構わない。また、本発明に係る出隅用見切り縁は、外装（屋外）用途に限定されるものではなく、（Ｒ型出隅カバー１１００とともにまたは他の出隅カバーとともに）たとえばショッピングモール内のテナント等の屋内に用いられても構わない。
【００１６】
出隅用Ｒ型見切り縁１００の納まり状態（施工状態）を示す斜視図を図１に、この出隅用Ｒ型見切り縁１００の納まり状態を示す断面図を図２に、この出隅用Ｒ型見切り縁１００の外側（表面側）の三面図を図３に、この出隅用Ｒ型見切り縁１００の内側（裏面側）の三面図を図４に、この出隅用Ｒ型見切り縁１００の展開図を図５に、それぞれ示す。ここで、この出隅用Ｒ型見切り縁１００は、平面状の金属板（代表的には金属鋼板）を所定の形状に切り出して折り曲げて立体形状に形成されているために、図５の展開図は（折り曲げる前であるために）その所定の形状を備えた平面状の金属鋼板を示すことになる。
【００１７】
さらに、図２においては、この出隅用Ｒ型見切り縁１００の納まり状態を示す断面図を図２（Ａ）に示すとともに、この出隅用Ｒ型見切り縁１００と好適に組み合わせられて施工されるＲ型出隅カバー１１００の要部（図２（Ａ）に示す領域２Ｂに対応する部分）について拡大した上面図を図２（Ｂ）に示す。さらに、図３においては、図１の矢示３Ａ方向からの上面図を図３（Ａ）に、図１の矢示３Ｂ方向からの側面図を図３（Ｂ）に、図１の矢示３Ｃ方向からの側面図を図３（Ｃ）に、図３（Ａ）の３Ｄ−３Ｄ断面図を図３（Ｄ）に、それぞれ示す。さらに、図４においては、図１の矢示４Ａ方向からの上面図を図４（Ａ）に、図１の矢示４Ｂ方向からの側面図を図４（Ｂ）に、図１の矢示４Ｃ方向からの側面図を図４（Ｃ）に、図４（Ａ）の４Ｄ−４Ｄ断面図を図４（Ｄ）に、それぞれ示す。
【００１８】
まず、図１および図２を参照して、この出隅用Ｒ型見切り縁１００およびこの出隅用Ｒ型見切り縁１００と好適に組み合わせられて施工されるＲ型出隅カバー１１００との納まり状態（施工状態）について説明する。なお、以下においては建築物（構築物を含む）に用いる外装材１３００の長手方向の端部を突き合わせて形成されるコーナー部（出隅部）を曲面状に覆う出隅部材の一例として、出隅を曲面状に覆う曲面状の化粧面部１１１０を備えたＲ型出隅カバー１１００を説明するだけに過ぎず、本発明に係る出隅用見切り縁がこのＲ型出隅カバー１１００に限定して組み合わせられて施工されるものではない（限定されるものではないが、本発明に係る出隅用見切り縁がこのＲ型出隅カバー１１００に好適に組み合わせられるのは上述した通りである）。
【００１９】
この出隅用Ｒ型見切り縁１００は、上述したように（限定されるものではないが）出隅
を曲面状に覆う曲面状の化粧面部１１１０を備えたＲ型出隅カバー１１００の垂直方向上方に見切り縁として施工されて、曲面形状をともに備えるというデザイン性に統一感があって出隅部の美観を損ねず解体されにくい出隅用見切り縁の一例である。このため、出隅用Ｒ型見切り縁１００とともに施工されるＲ型出隅カバー１１００についてまず説明する。
【００２０】
このＲ型出隅カバー１１００は、外装材１３００の長手方向の端部が突き合わせられて形成されたコーナー部（出隅部）の敷目板１２００に係合されて固定される。この敷目板１２００は、壁下地であるコーナー支柱１５００に胴縁１４００（または胴縁１４１０）を介してタッピングビス等の締結部材１４０４（または締結部材１４１２）により固定されている。また、コーナー支柱１５００には、胴縁１４００（または胴縁１４１０）がタッピングビス等の締結部材１４０２（または締結部材１４１４）により固定されている。なお、図２（Ａ）の点線で示す円形領域に、スポンジ等の防水部材を垂直方向に連続して設けることも好ましい。ここで、この図２（Ａ）に示すＲ型出隅カバー１１００の納まり状態における敷目板１２００の取付方法（固定方法）は、上述した方法に限定されるものではなく、たとえば胴縁１４００（または胴縁１４１０）を介さないでコーナー支柱１５００に敷目板１２００を直接固定する方法であっても構わない。
【００２１】
ここで、Ｒ型出隅カバー１１００（化粧面部１１１０および２つの係合部１１２０）および敷目板１２００は、金属製薄板材、たとえば、鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）等（これらを各種色調に塗装した金属製カラー板を含む）の一種、または、合成樹脂製板材、たとえば塩化ビニル樹脂、ポリカーボネイト樹脂等（これらを各種色調に塗装した合成樹脂製カラー板を含む）の一種を、ロール成形、プレス成形、押出成形、切り欠き加工等によって各種形状に成形したものである。
【００２２】
敷目板１２００は長尺状板材であり、図２（Ａ）および図２（Ｂ）に示すように、少なくとも（Ｒ型出隅カバー１１００の係合部１１２０に係合することのできる）嵌合部１２１０を含んで形成したものである。さらに詳しくは、図２（Ａ）および図２（Ｂ）に示すように、嵌合部１２１０は、係合部１１２０の一対の脚部１１２８を爪折返部１１３０で折り返した係合爪１１３２を収納できる空間１２１０Ｃを備える。さらに、嵌合部１２１０は、係合爪１１３２をこの空間１２１０Ｃに速やかに案内する（図２（Ｂ）の白抜き矢示方向へ速やかに案内する）案内部１２１０Ａおよびこの空間１２１０Ｃから係合爪１１３２が離隔しようとすると係合爪１１３２の開放先端に当接することによりこの空間１２１０Ｃから係合爪１１３２が離隔しないための返し部１２１０Ｂを備える。ここで、図２（Ａ）および図２（Ｂ）に示す敷目板１２００の形状は、上述した形状に限定されるものではない。
【００２３】
化粧面部１１１０の表面（屋外側）は、外装材１３００の化粧面の意匠および断面の形状によって適宜定められるものであり、図１に示すような外装材１３００を使用して壁体を形成する場合には、図１に示すような化粧面部１１１０となる。化粧面部１１１０の裏面には、化粧面部１１１０を二重折返部１１１２にて折り返した二重部１１１４に、係合部１１２０の端部１１２２が（図２（Ｂ）の２点鎖線で示すように）挿入されることにより、別部材で形成された化粧面部１１１０と係合部１１２０とが接合されている。
【００２４】
なお、このＲ型出隅カバー１１００は、図１に示すように、垂直方向に連結させて、または、連結させることなく、使用される。この場合において、限定されるものではないが、たとえば、垂直方向の上下端部の形状をオス部とメス部と区別して形成しておいて、オス部がメス部に挿入されて（オス部が屋外側から外観上見えないようにオス部にメス部を重ねて）連結される。この場合において、Ｒ型出隅カバー１１００の係合部１１２０が敷目板１２００の嵌合部１２１０に係合された後に、オス部がメス部に挿入されて垂直方向に連続する２つ以上のＲ型出隅カバー１１００が連結される。
【００２５】
このＲ型出隅カバー１１００は、建築物の出隅に設けられた敷目板１２００に係合される建築外装用出隅部材であって、敷目板１２００は屋外側へ突出し垂直方向に連続した嵌
合部１２１０を備える。Ｒ型出隅カバー１１００は、出隅を曲面状に覆う化粧面部１１１０と、嵌合部１２１０に係合される係合部１１２０とを含み、係合部１１２０において、嵌合部１２１０と係合する側の反対側（屈曲部１１２６）が、化粧面部１１１０の裏面１１１６に当接している。このため、化粧面部１１１０の表面の曲面部分の強度を高めるという作用効果を発現できる。その結果、化粧面部１１１０の表面の曲面部分に硬い物体がぶつかったりして衝撃が加わっても、化粧面部１１１０の表面の曲面部分がへこんで変形することを抑制することができる。
【００２６】
さらに、係合部１１２０において、嵌合部１２１０と係合する側の反対側（屈曲部１１２６）が、化粧面部１１１０の裏面１１１６に垂直方向に連続して当接している。たとえば、化粧面部１１１０の裏面１１１６が平面である場合には、係合部１１２０における嵌合部１２１０と係合する反対側（屈曲部１１２６）が垂直方向に連続的に当接していることになり、化粧面部１１１０の裏面１１１６が平面でない（たとえば化粧面部１１１０の表面の凹凸形状の意匠が裏面にも現れて平面でない）場合には、係合部１１２０における嵌合部１２１０と係合する反対側（屈曲部１１２６）が垂直方向に非連続的に当接していることになる。なお、化粧面部１１１０の表面の凹凸形状の意匠が裏面にも現れて平面でない場合において連続的でない（非連続的である）とは、ミクロ的に見た場合にその凹部（のみ）において屈曲部１１２６が当接しているとは厳密には言えないので、連続的でないことを示すものに過ぎない。このため、化粧面部１１１０の表面の凹凸形状の意匠が裏面にも現れて平面でない場合であっても、化粧面部１１１０の表面の曲面部分の強度を高めるという作用効果を発現する。
【００２７】
さらに、係合部１１２０において、嵌合部１２１０と係合する側の反対側（屈曲部１１２６）が、化粧面部１１１０の裏面１１１６の略中央部に垂直方向に線状に当接している。たとえば、図２（Ｂ）に示すように、化粧面部１１１０の裏面１１１６の略中央部に、係合部１１２０における嵌合部１２１０と係合する反対側（屈曲部１１２６）が垂直方向に線状に当接している。
【００２８】
さらに、係合部１１２０は、水平面視で対称形状を備えた一対の脚部１１２８を備え、これらの脚部１１２８において、嵌合部１２１０と係合する側の反対側（屈曲部１１２６）が化粧面部１１１０の裏面１１１６に当接するととともに、反対側（屈曲部１１２６）から嵌合部１２１０側へ向けて一対の脚部１１２８の間隔が大きくなる形状を備える。たとえば、図２（Ｂ）に示すように、間隔Ｄ（１）＜間隔Ｄ（２）＜間隔Ｄ（３）となる。
【００２９】
さらに、これら一対の脚部１１２８の対称線と、化粧面部１１１０の曲面形状の略中心線とが一致する。図２（Ｂ）の一点鎖線に示すように、脚部１１２８の対称線と、化粧面部１１１０の曲面形状の略中心線とが一致している。
さらに、化粧面部１１１０と係合部１１２０とが別部材で形成され、化粧面部１１１０と係合部１１２０とが接合されている。このＲ型出隅カバー１１００は、１つの化粧面部１１１０と２つの係合部１１２０とにより形成されている。このため、Ｒ型出隅カバー１１００は、１つの部材を複雑に折り曲げて形成される化粧キャップ等とは異なり、構造の簡単な１つの化粧面部１１００と２つの係合部１１２０とを接合すれば良いので簡単に製造することができる点で好ましい。より詳しくは、図２（Ｂ）に示すように、化粧面部１１１０を二重折返部１１１２にて折り返した二重部１１１４に、係合部１１２０の端部１１２２が挿入されることにより化粧面部１１１０と係合部１１２０とが別部材で形成されるとともに、これらが接合されている。なお、化粧面部１１１０と係合部１１２０との接合方法については限定されるものではないが、たとえばリベット等により強固に接合することが好ましい。
【００３０】
ここで、図１、図２（Ａ）および図２（Ｂ）に示すＲ型出隅カバー１１００の形状は、出隅を曲面状に覆う化粧面部１１１０を備える以外は、上述した形状に限定されるものではない。
次に、本実施の形態に係る出隅用Ｒ型見切り縁１００が備える特徴的な構造について、その概略を説明する。なお、垂直方向および水平面等については、図１に示される方向および面等である。また、この出隅用Ｒ型見切り縁１００は、図３（Ａ）および図４（Ａ）
に示す平面視において後述する中心線Ｌを線対称とした左右略対称形状を備えるため、以下において、左右を逆にした説明であっても成立し、左右さらには上下等の方向を限定しないで説明する場合がある。なお、この出隅用Ｒ型見切り縁１００が備える左右略対称形状は、表面側（図３（Ａ））についても裏面側（図４（Ａ））についてもその全体形状についての左右略対称形状であって、後述するように左基台平面３１０と右基台平面３５０との境界線（境界第一接合線３２４および境界第二接合線３５４）はこの限りでない。
【００３１】
この出隅用Ｒ型見切り縁１００は、上述した図１および図２に示すように、建築物の出隅に見切り縁として設けられる。この出隅用Ｒ型見切り縁１００は、図１〜図５に示すように、大略的には基台部３００と立ち下がり面２００とを含む。この出隅用Ｒ型見切り縁１００は、平面状の金属板（代表的には金属鋼板）を所定の形状に図５の展開図に示すように切り出して、図５に示すように折り曲げて、図１、図３および図４に示す立体形状に形成されている。基台部３００は、出隅を曲面状に覆う曲面部４８０を含む。
【００３２】
さらに、この曲面部４８０は、図１および図５に示すように帯状に形成されている。
さらに好ましくは、立ち下がり面２００は、左側面２１０と、この左側面２１０から略直角（この略直角は水平面内において示される平面視での角度である）に位置する右側面２５０とを含む。
基台部３００は、左側面２１０または右側面２５０から略直角（この略直角は垂直面内において示される側面視での角度である）に曲げられて連続する基台平面（左側面２１０から連続する左基台平面３１０および右側面２５０から連続する右基台平面３５０）と、左側面２１０または右側面２５０に略平行（空間において略平行な平面の関係）であって基台平面から略直角（この略直角は垂直面内において示される側面視での角度である）に曲げられて連続する基台側面（左基台平面３１０から連続する左基台側面４１０および右基台平面３５０から連続する右基台側面４５０）とを含む。
【００３３】
さらに、この基台平面は、左側面２１０から略直角に曲げられて連続する左基台平面３１０と、右側面２５０から略直角に曲げられて連続する右基台平面３５０とを含む。この基台側面は、左側面２１０に略平行であって左基台平面３１０から略直角に曲げられて連続する左基台側面４１０と、右側面２５０に略平行であって右基台平面３５０から略直角に曲げられて連続する右基台側面４５０と、曲面部４８０とを含む。そして、基台側面において、左基台側面４１０から帯状の曲面部４８０を経て右基台側面４５０へ連続して形成されている。
【００３４】
さらに、図１および図３（Ａ）に示すように、基台平面（左基台平面３１０および右基台平面３５０）上において、左基台平面３１０と右基台平面３５０との境界線（境界第一接合線３２４および境界第二接合線３５４）と、左側面２１０の上端と右側面２５０の上端との交差点Ｘから曲面部４８０の最遠位置Ｙまで引いた中心線Ｌとが一致しない。これは、基台平面上において、左基台平面３１０と右基台平面３５０との境界線と、左側面２１０と右側面２５０との交差点から平面視における左基台側面４１０の仮想延長線と右基台側面４５０の仮想延長線との交点まで引いた中心線Ｌとが一致しないことを意味する。このように、基台平面（左基台平面３１０および右基台平面３５０）における境界線が中心線Ｌ上に配置されていないために、平面状の金属鋼板を折り曲げて立体形状に形成したこの出隅用Ｒ型見切り縁１００が容易に解体されること（立体形状を保持できなくなること）を回避することができる。すなわち、左右略対称形状の出隅用Ｒ型見切り縁１００の左右略対称の位置（中心線Ｌ上）に境界線が存在しないために、出隅用Ｒ型見切り縁１００の左右いずれか一方側（または双方側）に、出隅用Ｒ型見切り縁１００を分解するほどの（左基台平面３１０と右基台平面３５０とを離隔する方向への）力が加わっても、この力の作用する方向と、左基台平面３１０と右基台平面３５０とを離隔する方向とが一致しないために、この出隅用Ｒ型見切り縁１００が容易に解体されること（立体形状を保持できなくなること）を回避することができる。
【００３５】
さらに、左側面２１０と右側面２５０とは、図３（Ｂ）、図４（Ｂ）および図５に示すように、この出隅用Ｒ型見切り縁１００の内側で互いに係合する立ち下がり重ねしろ部（左側面２１０側の立ち下がり上方重ねしろ部２１２および右側面２５０側の立ち下がり下
方重ねしろ部２５２）を備える。
さらに、左基台平面３１０と右基台平面３５０とは、図３（Ａ）、図４（Ａ）および図５に示すように、この出隅用Ｒ型見切り縁１００の内側で互いに係合する平面重ねしろ部（左基台平面３１０側の平面奥側重ねしろ部３１２および右基台平面３５０側の平面前側重ねしろ部３５２）を備える。
【００３６】
さらに、左基台側面４１０の下端および右基台側面４５０の下端は、立ち下がり面側へ折り返された折り返し部をそれぞれ備える。より具体的には、左基台側面４１０の下端には曲面側折り返し部４３０および端部側折り返し部４３２を、右基台側面４５０の下端には曲面側折り返し部４７０および端部側折り返し部４７２を、それぞれ備える。この折り返し部の折り返し角度は限定されるものではないが、図３（Ｄ）および図４（Ｄ）に示すように、約１３０ｄｅｇ折り返して裏側が約５０ｄｅｇになっている。
【００３７】
さらに、これらの折り返し部は、その一部が切り欠かれて基台の段部から曲面部４８０へ向かう方向に不連続である。より具体的には、図５に示すように、曲面側折り返し部４３０と端部側折り返し部４３２との間には欠落部４３１を、曲面側折り返し部４７０と端部側折り返し部４７２との間には欠落部４７１を、それぞれ備える。また、これらの折り返し部は、曲面部４８０に対応する部分は全て欠落しており欠落部４８１を形成している。
【００３８】
以上のように、出隅用Ｒ型見切り縁１００はこのような特徴的な構造を備える建築外装用出隅部材である。以下において、さらに詳しく出隅用Ｒ型見切り縁１００について説明する。
図１〜図５を参照して、この出隅用Ｒ型見切り縁１００について詳しく説明する。
まず、最初に、この出隅用Ｒ型見切り縁１００の材質、すなわち、図５の展開図に示す平面状の金属鋼板の材質について説明する。この金属鋼板は、限定されるものではないが、折り曲げ可能が可能な金属製薄板材であって、たとえば、鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）等（これらを各種色調に塗装した金属製カラー板を含む）の一種を、図５の展開図に示す所定の形状に切り出して、図３および図４に示すように折り曲げて、図１に示す立体形状に形成されている。上述したＲ型出隅カバー１１００の化粧面部１１１０とのデザイン上の統一感をさらに持たせるために（曲面形状をともに備えるという統一感に加えて）、この出隅用Ｒ型見切り縁１００の材質（図５の展開図に示す金属鋼板の材質）をＲ型出隅カバー１１００の化粧面部１１１０と同じ材質や同じ意匠とすることも好ましい。
【００３９】
上述したように、この出隅用Ｒ型見切り縁１００は、大略的には、立ち下がり面２００（左側面２１０および右側面２５０）と、基台部３００（基台平面（左基台平面３１０および右基台平面３５０）ならびに基台側面（左基台側面４１０および右基台側面４５０））とで構成され、基台部３００は、出隅を曲面状に覆う曲面部４８０を備える。
この曲面部４８０の形状（曲面半径であって平面視における曲線半径）については、図１および図３（Ａ）に示すように、左側面２１０と右側面２５０との交差点Ｘを中心点とした曲面部４８０の最遠位置Ｙを通る平面視の略９０°曲線で示される。この曲線の半径Ｒ（逆数は曲率１／Ｒとなる）は、たとえばＲ１０ｍｍ〜Ｒ２０ｍｍ程度である。この半径Ｒは、出隅を曲面状に覆う出隅部材であるＲ型出隅カバー１１００の曲面状の化粧面部１１１０の曲率に対してデザイン性に統一感があるように設定されることが好ましい。たとえば、目視にて、特許文献１のような面取りされた形状ではなく、曲面部４８０が曲面状であることが認識できることが好ましい。このため、図３（Ａ）に示すように、最遠位置Ｙを通る平面視の略９０°曲線を、さらに径方向に移動させた平面視曲線Ｒ（１）さらに平面視曲線Ｒ（２）で示されるように半径Ｒを増加させることも好ましい。なお、この出隅用Ｒ型見切り縁１００の曲面部４８０の平面視における略９０°曲線はＲ１５ｍｍである。
【００４０】
図５の展開図に示すように金属鋼板（限定されるものではないがたとえば厚み０．３５ｍｍのアルミ・亜鉛合金メッキ鋼板）を切り出して、図５に示す角度で所定の折り目を形
成する。より詳しくは、図５の紙面表側が出隅用Ｒ型見切り縁１００の表面（すなわち図１および図３に示される側）である場合において、たとえば、
・点線（より詳しくは折曲線２２０、折曲線２６０、折曲線３２０、折曲線３６０）で示す位置を略９０ｄｅｇの山線で、
・一点鎖線（より詳しくは折曲線２１２Ｂ、折曲線２５２Ｂ）で示す位置を略９０ｄｅｇの谷線で、
・長点線（より詳しくは折曲線４３３、折曲線４７３）で示す位置を略１３０ｄｅｇの山線（裏側略５０ｄｅｇ）で、
・二点鎖線（より詳しくは折曲線２３３、折曲線２７３）で示す位置を１８０ｄｅｇ山線(折り返し)で、
それぞれ折り曲げることにより、図１、図３および図４に示す立体形状に形成されている。
【００４１】
ただし、長点線（より詳しくは折曲線４３３、折曲線４７３）を山線で折り曲げる角度は、施工現場毎に異なるために単なる一例でしかなく、この角度（略１３０ｄｅｇ、裏側略５０ｄｅｇ）に限定されるものではない。
出隅用Ｒ型見切り縁１００は、このようにして金属鋼板を折り曲げることにより曲面部４８０を備えた立体形状に形成されているのであるが、この立体形状が容易に変形しないように（平面形状に容易に戻らないようにこの出隅用Ｒ型見切り縁１００の内部において）互いに係合してこの立体形状が容易に変形しないための以下に示す２種類の重ねしろ部を備えるとともに、この重ねしろ部が表面（図１および図３に示す面）に出現しないように（デザイン的に好ましいように）形成されている。これらの２種類の重ねしろ部について、詳しく説明する。なお、出隅用Ｒ型見切り縁１００の内部は、出隅用Ｒ型見切り縁１００の内側と同じ意味である。
【００４２】
まず、立ち下がり重ねしろ部について説明する。より具体的には、左側面２１０と右側面２５０とが備える立ち下がり重ねしろ部（左側面２１０側の立ち下がり上方重ねしろ部２１２および右側面２５０側の立ち下がり下方重ねしろ部２５２）について説明する。これらの立ち下がり上方重ねしろ部２１２および立ち下がり下方重ねしろ部２５２は、図５に示す形状を備えており、さらに互いに係合する係合部２１２Ａおよび係合部２５２Ａを備える。これらの立ち下がり上方重ねしろ部２１２および立ち下がり下方重ねしろ部２５２は、この出隅用Ｒ型見切り縁１００を立体形状にするための折り曲げ加工を行い易くするための切片形状を備える。特に、上方重ねしろ部２１２は、この出隅用Ｒ型見切り縁１００を立体形状にするための折り曲げ加工を行い易くするために斜行切欠部２１２Ｃを備える。
【００４３】
図５に示すように立ち上がり重ねしろ部が折り曲げられると、立ち下がり上方重ねしろ部２１２の折曲線２１２Ｂと切断線２５４とが、立ち下がり下方重ねしろ部２５２の折曲線２５２Ｂと切断線２１４とが、それぞれ略重なり合って（金属鋼板の厚みだけ完全には重ならない）、左側面２１０と、この左側面２１０から略直角（この略直角は水平面内において示される平面視での角度である）に位置する右側面２５０とを形成する。そして、係合部２１２Ａと係合部２５２Ａとがこの出隅用Ｒ型見切り縁１００の内部において互いに係合するために、左側面２１０と右側面２５０とが強固に連結された立体形状を形成する。
【００４４】
次に、平面重ねしろ部について説明する。より具体的には、左基台平面３１０と右基台平面３５０とが備える平面重ねしろ部（左基台平面３１０側の平面奥側重ねしろ部３１２および右基台平面３５０側の平面前側重ねしろ部３５２）について説明する。これらの平面奥側重ねしろ部３１２および平面前側重ねしろ部３５２は、図５に示す形状を備えており、さらに互いに係合する係合部３１２Ａおよび係合部３５２Ａを備える。これらの平面奥側重ねしろ部３１２および平面前側重ねしろ部３５２は、この出隅用Ｒ型見切り縁１００を立体形状にするための折り曲げ加工を行い易くするための切片形状を備える。ここで、平面前側重ねしろ部３５２の長さと平面奥側重ねしろ部３１２の長さとは同じ程度の長さ（図３（Ａ）の紙面上における境界第一接合線３２４と境界第二接合線３５４とが略同
じ長さ）を備える。なお、これらの平面奥側重ねしろ部３１２および平面前側重ねしろ部３５２は、折り曲げられない。
【００４５】
図５に示すように（この出隅用Ｒ型見切り縁１００の他の部分が）曲げられると、平面奥側重ねしろ部３１２の切片根元部分３１２Ｂ（折曲線ではないので折曲線と区別するために二重点線で示す）と切断線（境界第二接合線３５４）とが、平面前側重ねしろ部３５２の切片根元部分３５２Ｂ（折曲線ではないので折曲線と区別するために二重点線で示す）と切断線（境界第一接合線３２４）とが、それぞれ略重なり合って（金属鋼板の厚みだけ完全には重ならない）、左側面２１０から略直角（この略直角は垂直面内において示される側面視での角度である）に曲げられて連続する左基台平面３１０（および左基台側面４１０）と、右側面２５０から略直角（この略直角は垂直面内において示される側面視での角度である）に曲げられて連続する右基台平面３５０（および右基台側面４５０）とを形成する。そして、係合部３１２Ａと係合部３５２Ａとがこの出隅用Ｒ型見切り縁１００の内部において互いに係合するために、左基台平面３１０と右基台平面３５０とを強固に連結された立体形状を形成する。
【００４６】
ここで、上述した立ち上がり重ねしろ部および平面重ねしろ部をそれぞれ容易に係合させつつ、左側面２１０の上端と右側面２５０の上端との交差点Ｘ近傍に隙間を生じさせることを抑制するために、図５に示すように、切断線２５４と境界第二接合線３５４との間には切片３８２を備える。
このように、立ち下がり重ねしろ部および平面重ねしろ部により、出隅用Ｒ型見切り縁１００の各部が強固に連結された立体形状を形成するとともに、左基台側面４１０と右基台側面４５０との間に帯状の曲面部４８０を備えた立体形状を形成する。このため、この出隅用Ｒ型見切り縁１００が帯状の曲面部４８０を備えた立体形状で形成されるとともに、平面状の金属鋼板を折り曲げてこのような立体形状に形成したこの出隅用Ｒ型見切り縁１００が容易に解体されること（立体形状を保持できなくなること）を回避することができる。
【００４７】
なお、出隅用Ｒ型見切り縁１００の立ち下がり面２００の左側面２１０および右側面２５０における下端は、折曲線２３３および折曲線２７３により１８０ｄｅｇまで内部側（裏面側）へ折り曲げられ（折り返され）ている。このため、左下端部２３０および右下端部２７０とは出隅用Ｒ型見切り縁１００の内部側へ折り返されていることになり、この出隅用Ｒ型見切り縁１００の下端の強度を向上させるとともに、出隅用Ｒ型見切り縁１００の全体の立体形状を保持することに大きく貢献している。
【００４８】
また、基台側面の下端には、立ち下がり面側へ折り返された（約１３０ｄｅｇ折り返して裏側が約５０ｄｅｇ）折り返し部を備える。左基台側面４１０の下端には曲面側折り返し部４３０および端部側折り返し部４３２を、右基台側面４５０の下端には曲面側折り返し部４７０および端部側折り返し部４７２を、それぞれ備える。そして、これらの折り返し部は、曲面側折り返し部４３０と端部側折り返し部４３２との間には欠落部４３１を、曲面側折り返し部４７０と端部側折り返し部４７２との間には欠落部４７１を、それぞれ備え（その一部が切り欠かれて）基台の段部から曲面部４８０へ向かう方向に不連続である。これらの折り返し部は、施工後においてＲ型出隅カバー１１００または外装材１３００に接触して、出隅用Ｒ型見切り縁１００とＲ型出隅カバー１１００または外装材１３００との一体性を維持することができる。
【００４９】
以上のような構造を備えた出隅用Ｒ型見切り縁１００の施工方法について以下に詳しく説明する。なお、建築物のコーナー部（出隅部）には敷目板１２００が既に設けられているものとする。
・施工手順１
出隅用Ｒ型見切り縁１００の左基台側面４１０の下端の曲面側折り返し部４３０および右基台側面４５０の下端の曲面側折り返し部４７０を５０ｄｅｇよりも小さくなるように曲げておく。これにより、施工手順６において、Ｒ型出隅カバー１１００が、出隅用Ｒ型見切り縁１００の基台側面の内部側へ入りやすくなる。
・施工手順２
敷目板１２００の上端部よりも上方に出隅用Ｒ型見切り縁１００を取り付ける。より具体的には、左側面２１０の少なくとも１箇所および右側面２５０の少なくとも１箇所で、タッピングビス等の締結部材により胴縁１４００および胴縁１４１０に締結することにより、出隅用Ｒ型見切り縁１００を取り付ける。
・施工手順３
出隅用Ｒ型見切り縁１００を取り付けた後に、出隅用Ｒ型見切り縁１００とは別部材の直線見切り縁を差し込んで取り付ける。この直線見切り縁は、概略的には、出隅用Ｒ型見切り縁１００の直線部分のみで構成される。直線見切り縁の基台側面（左基台側面４１０または右基台側面４５０に相当する部分）の下端は端部側折り返し部４３２または端部側折り返し部４７２に係合される。
・施工手順４
外装材１３００を取り付ける。たとえば、１段目の外装材１３００は土台水切の上に設けられたスターターに外装材１３００の本体メス実（さね）部を差し込んで、２段目以降は外装材１３００の本体オス実（さね）部に本体メス実部を差し込む。また、外装材１３００を縦胴縁に釘またはネジ等の締結部材で固定する。
・施工手順５
上述した施工手順５を出隅用Ｒ型見切り縁１００の右側にも左側にも行なう。これにより、Ｒ型出隅カバー１１００以外が取り付けられた状態とする。
・施工手順６
Ｒ型出隅カバー１１００を下方から上方へ向けて嵌め込んでＲ型出隅カバー１１００どうしを積み上げていく。このとき、雨水の浸入を避けるために、下の段のＲ型出隅カバー１１００の上端よりも１つ上の段のＲ型出隅カバー１１００の下端が外側になるように施工する。また、図２に示すように、Ｒ型出隅カバー１１００の係合部１１２０を敷目板１２００の嵌合部１２１０へ嵌め込んで固定する。これにより、最上段のＲ型出隅カバー１１００以外が取り付けられた状態とする。
【００５０】
最後の最上段のＲ型出隅カバー１１００は、その上端部を出隅用Ｒ型見切り縁１００の曲面部４８０にまず差し込む。
・施工手順７
最上段から１段の下のＲ型出隅カバー１１００の上端よりも最上段のＲ型出隅カバー１１００の下端が外側になるように位置を合わせてから、図２に示すように、最上段のＲ型出隅カバー１１００の係合部１１２０を敷目板１２００の嵌合部１２１０へ嵌め込んで固定する。最後に、全ての嵌合部分または係合部分の状態を確認する。
【００５１】
以上のようにして、本発明の実施の形態に係る出隅用Ｒ型見切り縁１００によると、面取り型の見切り縁ではなくコーナー部に曲面を備えた（Ｒ型の）見切り縁であるために面取り部の左右両辺が現れないため、見切り縁がずれて施工されても、そのずれが目立ち難く、高い施工精度を必要としないという作用効果を発現する。さらに、出隅を曲面状に覆う出隅部材（たとえばＲ型出隅カバー１１００）とともに用いられる場合には、基台部３００が出隅を曲面状に覆う曲面部４８０を備えるために、出隅を曲面状に覆う出隅部材（たとえばＲ型出隅カバー１１００）とデザイン性に統一感があって美観を損ねないように出隅部を施工することができる。さらに、本発明の実施の形態に係る出隅用Ｒ型見切り縁１００によると、平面状の金属鋼板を折り曲げて立体形状に形成しているが、容易に解体されること（立体形状を保持できなくなること）を回避することができる。
【００５２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５３】
本発明は、建築物（構築物を含む）に用いる見切り縁に好ましく、高い施工精度を必要としないで、また、出隅を曲面状に覆う出隅部材とともに用いられる場合にはデザイン性に統一感があって美観を損ねない点で特に好ましい。
【符号の説明】
【００５４】
１００  出隅用Ｒ型見切り縁
２００  立ち下がり面
２１０  左側面
２５０  右側面
３００  基台部
３１０  左基台平面
３５０  右基台平面
４１０  左基台側面
４５０  右基台側面
４８０  曲面部
１１００  Ｒ型出隅カバー
１２００  敷目板
１３００  外装材
１４００  胴縁
１５００  コーナー支柱
【図１】
2020111881.tif 000003
【図２】
2020111881.tif 000004
【図３】
2020111881.tif 000005
【図４】
2020111881.tif 000006
【図５】
2020111881.tif 000007